(57)【特許請求の範囲】
【請求項１】
遊技盤の前面に間隔をおいて離れて設けられて打球発射装置から発射された遊技球を所要のゲージ設定で構成された遊技領域に導くための通路を形成する、金属製の外レールおよび内レールを有する弾球遊技機において、
前記外レールと前記内レールとを電気的に接続する接続部材と、一端が前記弾球遊技機のアース手段に接続され、他端が前記接続部材、前記外レールおよび前記内レールの少なくともいずれか一つに接続される導電部材とを備え、
前記接続部材は、前記外レールと前記内レールとを跨いで挟みこむように、前記外レールの外周面に当接する外レール側係合片部と、前記内レールの内周面に当接する内レール側係合片部と、これら係合片部を繋いで前記外レールと前記内レールとの間を跨ぐ架橋部とを有し、前記外レールおよび前記内レールに対して着脱自在であることを特徴とする弾球遊技機。
【請求項２】
前記接続部材を構成する前記外レール側の係合片部と前記内レール側の係合片部との間隔は、前記外レールと前記内レールとの間隔よりも小さく設定され、これら係合片部が撓んで前記外レールと前記内レールとを弾性的に挟みこむように、バネ性を有して構成されていることを特徴とする請求項１に記載の弾球遊技機。
【請求項３】
前記接続部材は、前記外レールおよび前記内レールが略平行となる前記遊技盤上部位置に取り付けることを特徴とする請求項１または請求項２に記載の弾球遊技機。
【発明の詳細な説明】
【０００１】
【発明の属する技術分野】
本発明は、パチンコ機やアレンジボール機、ピンボール機等の弾球遊技機に関し、なお詳細には、遊技中に発生する静電気による障害を抑制する弾球遊技機に関する。
【０００２】
【従来の技術】
パチンコ機やアレンジボール機、ピンボール機等の弾球遊技機では遊技球として鉄系合金を主体とした金属材料が使用されているが、この遊技球が移動する経路、例えば遊技球の貯留タンクや給排出路等にＡＢＳ樹脂やポリアセタール樹脂、ポリカーボネイト樹脂等のプラスティック材料が多用されており、遊技球がこれらの部材と接触し擦り合って移動する間に静電気を帯びやすいという特性がある。
【０００３】
一方、近年の弾球遊技機は、遊技内容が単純化・単調化してゲームに対する興味が薄れることがないように、種々の役物を設定したり複雑な図柄表示を行うことができるように構成されており、制御対象ごとに複雑な電子回路が組み込まれるとともに、遊技機全体の制御をつかさどる制御中枢としてマイクロプロセッサを搭載した、いわゆるマイコン遊技機やデジタル遊技機といわれる遊技機が主流になってきている。
【０００４】
マイクロプロセッサを含む電子回路は、蓄積した静電気が絶縁破壊により気中放電して発生するような、短周期・高ピーク電圧のパルス性ノイズに極めて弱く、何等静電対策を行わない場合には上記のような静電気ノイズに起因して制御上の誤動作や電子回路の破損等の障害を発生するおそれがある。このため、近年の弾球遊技機では、遊技球の電位があまり高くならないうちに遊技球と接触して電荷をアースし、静電気を蓄積させないようにする静電気除去装置が遊技球移動経路の要所ごとに設けられている。
【０００５】
【発明が解決しようとする課題】
しかしながら、従来の弾球遊技機では、打球発射装置から打ち出されて遊技盤の遊技領域に至る移動経路中に静電気除去装置が設けられていなかった。このため、帯電した遊技球が遊技領域において電動役物の金属部材と接触して静電気ノイズを発生したり、アウト口から回収されたアウト球が裏機構盤の排出経路内で静電気ノイズを発生したりすることがあるという問題があった。
【０００６】
ここで、遊技盤には打球発射装置から発射された遊技球を遊技領域に導く金属製の外レールと内レールとが固設されており、このレールにアース線を接続して静電気を除去する静電気除去装置が考案される。しかし、一般に外レールと内レールとは別部材として構成されるため、上記構成の静電気除去装置では内・外レールのそれぞれにアース線を接続するための構造を追加する必要がある。また、アース線の引き回しが複雑になり、遊技盤を交換する際に多くの工数を要して作業が煩雑になるという課題があった。
【０００７】
また、遊技盤を遊技機の収容枠にセットすることで同時に内・外レールがアースされる静電気除去装置が考案されるが、この構成では遊技盤のみならず収容枠をも大幅に変更する必要があり、金型の改造を含めて多大な費用が発生するという課題があった。また、内・外レールをガラス扉の金属枠に接触させることも考え得るが、遊技盤の種類によってレール位置が異なったり金属枠の形状が異なるものがあるため、遊技盤を交換する際に接触位置の調整や機能確認を行う必要があり、交換作業が繁雑になるという課題があった。
【０００８】
本発明は、このような問題や課題に鑑みて成されたものであり、従来の弾球遊技機の構成を大きく変更することなく、簡明かつローコストに遊技盤上の遊技球の静電気を除去でき、かつ遊技盤交換を簡単に行うことができる弾球遊技機を提供することを目的とする。
【０００９】
【課題を解決するための手段】
上記目的を達成するため、本発明は、遊技盤の前面に間隔をおいて離れて設けられて打球発射装置から発射された遊技球を所要のゲージ設定で構成された遊技領域に導くための通路を形成する、金属製の外レールおよび内レールを有する弾球遊技機において、外レールと内レールとを電気的に接続する接続部材（例えば実施形態における接続金具３１，４１等）と、一端が弾球遊技機のアース手段に接続され他端が接続部材、外レールおよび内レールの少なくともいずれか一つに接続される導電部材（例えば実施形態における除電ケーブル３５，４５等）とを備えて弾球遊技機を構成する。
【００１０】
上記構成によれば、遊技盤の外レールと内レールとが接続部材で電気的に接続されるとともに、接続された内・外レールが導電部材で遊技盤のアース手段に接続されるため、外レールおよび内レールをともにアース電位に落とすことができる。従って、打球発射装置から発射された遊技球は、遊技領域に至る過程で外レールに接して蓄積した電荷が放出され、電荷を蓄積した状態のまま遊技領域に到達することがない。また、遊技領域内で図柄表示装置周辺の飾り部材やチューリップ等のプラスティック部材と接触して帯電した遊技球は内レールに導かれてアウト口に至るため、内レールと接することで電荷を放出し帯電状態のまま裏機構盤の排出経路に到達することがない。
【００１１】
また、上記構成によれば、遊技盤側に接続部材を付加的に設け、遊技機本体側にアース手段と接続する導電部材を付加的に設ければ良いため、遊技盤の形状や遊技盤を収容する収容枠の構造を変更する必要がない。なお、接続部材としては、例えば、金属製のブロックや板、金属箔、電線、ＦＰＣを含むプリント基板等を用いることができ、また導電部材としても同様の部材を用いて構成することができる。ここで両部材に金属製のブロックや板材等を用いる場合には、接続部材または導電部材の少なくとも一方に相対位置調整用の揺動部や長孔部を設けることで、内・外レールの位置が異なる遊技盤にも十分対応することができる。
【００１２】
さらに、上記接続部材は、外レールと内レールとを跨いで挟みこむように、外レールの外周面に当接する外レール側係合片部と、内レールの内周面に当接する内レール側係合片部と、これら係合片部を繋いで外レールと内レールとの間を跨ぐ架橋部とを有し、外レールおよび内レールに対して着脱自在であるように構成する。このような構成によれば、接続部材と導電部材とを予め固定接続して一体のアース端子として遊技機本体側に配設することで、遊技盤側の内・外レール間に随時着脱して接続させることができる。このため、遊技盤については内・外レールを含めて何等の変更を行う必要がなく、遊技盤交換時に接続部材の着脱を行うだけで簡単に遊技盤交換作業を行うことができる。また、このような形態によれば、既存の遊技盤に対しても簡単に静電気除去装置を付加することができる。
【００１３】
なお、上記接続部材を構成する外レール側の係合片部と内レール側の係合片部との間隔は、外レールと内レールとの間隔よりも小さく設定され、これら係合片部が撓んで外レールと内レールとを弾性的に挟みこむように、バネ性を有して構成されていることが好ましい。このような構成によれば、レール間隔が異なる種々の遊技盤に対しても柔軟に対応して一定範囲に取り付けることができる。
【００１４】
また、上記接続部材は、外レールおよび内レールが略平行となる遊技盤上部位置に取り付けることが好ましい。このような構成によれば、遊技球が内レールに衝突する時の振動で、接続部材が移動することを防止することができる。
【００１６】
【発明の実施の形態】
以下、図面を参照して本発明の好ましい実施形態について説明する。本発明に係る弾球遊技機の一例として、図２にパチンコ機を示している。パチンコ機ＰＭは、所定の外郭方形枠サイズに構成された固定保持用の外枠１の前側に、これに合わせた方形枠サイズに構成された開閉搭載用の前枠２が、正面左側上下に配設された開閉ヒンジ３ａ，３ｂで横開き開閉可能に組付けられ、正面右側内部に配設された施錠装置４を利用して常には図示する閉鎖状態に保持される。
【００１７】
なお、以下では、図２に示すように前枠を閉鎖して正面から見た姿勢における上下・左右を便宜的に上下および左右と称し、遊技機に向かって手前側を前方、遊技機の背面側を後方または裏側と称して説明する。
【００１８】
前枠２の前面上部には、前枠の前側開口面の左右幅に合わせた方形枠サイズのガラス扉（ガラス窓ともいう）５が左側縁上下に配設された開閉ヒンジ６ａ，６ｂで前枠２に対して横開き開放可能にヒンジ結合され、上記施錠装置４により閉鎖状態に保持される。すなわち、施錠装置４は外枠に対する前枠の施錠・解錠、および前枠に対するガラス扉の施錠・解錠の両機能を備えており、いわゆるダブル錠と称される錠が用いられている。ガラス扉５の下部にはガラス扉５と同様に横開き開放可能に取り付けられた上球皿７ａ、前枠２の下部に固定配設された下球皿７ｂおよび打球発射装置８等が装備されている。
【００１９】
ガラス扉５の内側に位置する前枠２の裏側に、方形枠サイズの収容枠１０（図３参照）が前枠２と一体に形成されており、この収容枠１０にゲームを展開する遊技盤２０が水平姿勢・位置の縦向きで着脱交換可能にセット保持され、その盤面をガラス扉５の正面に臨ませている。また収容枠１０の裏側には裏機構盤(不図示)が開閉及び着脱が可能に装備されている。図３にガラス扉５、上球皿７ａおよび遊技盤１０を取り外した遊技機本体の正面図を、図４に遊技盤２０の正面図を示す。
【００２０】
遊技盤２０は、厚さ19mm程度の積層合板の表面にセルが貼り付けられた化粧板２１に、所定高さを有した帯状の外レール２２および内レール２３（これらを案内レールとも称する）が固定配設されて遊技領域ＰＡが区画され、この遊技領域ＰＡ内に多数本の遊技釘とともに、複数の風車２５、電動チューリップを主体とした種々の役物２６ａ，２６ｂ，２６ｃ，２６ｄ、周囲に飾り部を有した図柄表示部２７などが設けられ、遊技領域ＰＡの下端部にアウト球を回収するアウト口２９が設けられて構成される。
【００２１】
外レール２２は打球発射装置８により発射される打球を、レールの内周面に沿って遊技領域ＰＡに導く機能を有し、発射レール１２と所定間隔離れて連絡する下端部から遊技盤上方の返しゴム２８まで、図示するように略円弧状に設けられる。内レール２３は遊技領域ＰＡ内に打ち込まれた遊技球がこの遊技領域外に飛び出すことを防止するとともに、落下した遊技球をアウト口２９に導く機能を有し、左上端部から右上端の返しゴム２８近傍まで略左右対称の円弧状に設けられる。内レール２３の左上端部には遊技領域ＰＡ内に打ち出された遊技球が発射装置８側に戻ることを規制する球戻り防止片２４が取り付けられている。
【００２２】
化粧板２１の裏面側には、図面省略するが役物に入賞した入賞球を裏機構盤に導く入賞経路や、図柄表示部２７に各種図柄を表示させる図柄表示装置、視覚効果を高める各種の表示ランプ等が設けられている。また、盤面の左下方に、後述する静電気除去装置３０における接続金具３１が取り付けられている。
【００２３】
遊技盤２０が収容される収容枠１０の下部に、遊技補助盤１１が設けられている。遊技補助盤１１の各部には図３に示すように、発射レール１２や、発射レール１２からの打球がガラス扉方向に逸脱することを防止する球案内部１４を有し、スピーカ等を内蔵するケースカバー１３等が取り付けられる。発射レール１２の上端と遊技盤１０側の外レール２２下端との間に、上方に開口するファール口１５が設けられており、上球皿７ａの遊技球を下球皿７ｂに回収する集合回収口１６と繋がって、ファール口１５に落下するファール球を下球皿７ｂに排出する。
【００２４】
上球皿７ａの裏側には、右端部に開口された送り口が設けられこの送り口に装着された球送りカセット（共に図示しない）を利用して、上球皿７ａに貯留する遊技球を、打球発射装置のハンマ８ｂの作動と同期して１個ずつ発射レール３１上に送出する。ガラス扉５を開閉自在に接続する開閉ヒンジ６ｂに、静電気除去装置３０における除電ケーブル３５が取り付けられている。
【００２５】
このように構成される収容枠１０に遊技盤２０をセットした状態を図１に示しており、ガラス扉５内側の左下部に静電気除去装置３０が構成される。静電気除去装置３０は、前述した接続金具３１と除電ケーブル３５とを主体として構成される。接続金具３１と除電ケーブル３５とを詳細に示す斜視図を図５に示し、接続金具３１の三面図を図６に、除電ケーブル３５における先端のコネクタ部材３８の三面図を図７に示す。
【００２６】
接続金具３１は、除電ケーブルのコネクタ部材３８が接続される被係止部３１ａ、固定孔を有し遊技盤に固定される固定部３１ｂ、内・外レールに合わせて遊技盤の盤面から立ち上がる立設部３１ｃ、内・外レール間を跨ぐ架橋部３１ｄ、盤面方向に折り返された折り返し部３１ｅからなり、例えば厚さ0.5〜1.5mm程度のステンレス鋼板を素材とし、切断・孔あけ・曲げ等の公知の加工法により図示する形状に成形する。接続金具３１の各部の寸法は、取付対象となる遊技盤のレール構成に応じて所定寸法に規定される。
【００２７】
このように成形された接続金具３１を、固定部３１ｂに設けられた固定孔を利用して、遊技盤の盤面（化粧板２１の表面）にねじ３２で固定配設する。このとき、接続金具の立設部３１ｃと折り返し部３１ｅとがそれぞれ外レール２２の外周面と内レール２３の内周面とに当接し、内・外レールを挟持するように取り付ける。これにより、別部材である外レール２２と内レール２３とが架橋部３１ｄを介して電気的に接続される。
【００２８】
一方、除電ケーブル３５は、所定サイズの芯線を有する被覆電線３６の一端(基端側)に丸形圧着端子やＹ型圧着端子等の固定端子３７が圧着接続され、他端(先端側)に図７に示したコネクタ部材３８が圧着接続されて構成される。コネクタ部材３８は、接続金具３１の被係止部３１ａを挟み込むようにしてコネクタ接続するコンタクト部３８ａ，３８ａ、左右のコンタクト部を繋ぐボディ部３８ｂ、被覆電線３６の芯線に圧着接続される圧着片部３８ｃなどからなり、例えば厚さ0.5〜1mm程度の銅系合金材料をプレス成形等の公知の加工法により加工して図示する形状に成形する。左右コンタクト部３８ａの形状寸法は接続金具３１の被係止部３１ａに合わせて設定される。
【００２９】
除電ケーブルの固定端子３７は、ガラス扉５を開閉自在に支持する開閉ヒンジ６ｂにねじ３３で締結されており、この開閉ヒンジ６ｂを介して遊技機本体のアース（例えば電源基板のアース回路）に接続される。例えば、開閉ヒンジ６ｂにアース線を接続して遊技機本体のアースに接続し、あるいは開閉ヒンジ６ｂに枢結されるガラス扉５側のヒンジ部材およびガラス扉裏側の金属枠１８(図２参照)を介して遊技機本体のアースに接続し、またはさらにガラス扉５の施錠装置部材および本体側の施錠装置部材１９(図３参照)を介して前枠２の裏側で遊技機本体のアースに接続する。
【００３０】
そして、遊技盤２０に取り付けられた接続金具３１の被係止部３１ａに、除電ケーブル３５のコネクタ部材３８を接続することで、外レール２２と内レール２３とが遊技機本体のアースに電気的に接続されアース電位に落とされる。
【００３１】
このため、打球発射装置８により発射された打球は、遊技領域ＰＡに導かれる過程で外レール２２に接して蓄積した電荷を放出し、電荷を蓄積した状態のまま遊技領域ＰＡに到達することがない。また、遊技領域ＰＡを落下中に図柄表示装置２７周辺の飾り部材や、各種役物２６ａ〜２６ｅ等のプラスティック部材と接触して帯電した遊技球は、アウト口２９に導かれる過程で内レール２３と接して電荷を放出し、帯電状態のまま裏機構盤の排出経路に到達することがない。
【００３２】
また、上記のように構成される静電気除去装置３０では、ガラス扉５を横開き開放した状態で、接続金具３１と除電ケーブル３５との接続・離脱が自在である。このため、遊技盤２０の交換を行うときには交換前後で除電ケーブル３５を離脱・接続させるだけでよく、簡単に遊技盤の交換作業を行うことができる。また、開閉ヒンジ６ｂに固定される固定端子３７とコネクタ部材３８とが柔軟な被覆電線３６で繋がれているため、接続金具３１の取付位置が異なる場合であっても何等問題なく対応することができる。
【００３３】
なお、上記静電気除去装置におけるコネクタ部材３８および被係止部３１ａは係脱自在なコネクタ形態であれば他の形状であっても良く、例えばコネクタ部材３８に代えて市販の平型端子やタブ端子等を圧着接続して用い、被係止部を当該端子と嵌脱自在に接続する端子形状に形成するものであっても良い。また、内・外レールが電気的に接続されていれば、除電ケーブル３５の接続部位は接続金具３１でなく外レール２２または内レール２３であっても良い。
【００３４】
次に、図８に静電気除去装置の他の実施例を斜視図として示している。この静電気除去装置４０は、接続金具４１と除電ケーブル４５とを主体に構成され、両者がねじ４２で接続されて一体の除電コネクタを構成する。
【００３５】
接続金具４１は、除電ケーブル４５が接続される被係止部４１ａ、クリップ状に形成された左右の係合片部４１ｂ，４１ｂ、これらの係合片部を繋いで内・外レール間を跨ぐ架橋部４１ｃからなり、例えば厚さ0.5〜1mm程度のステンレス鋼板を切断・曲げ・バーリング・タッピング等の加工法により加工して図示する形状に仕上げる。なお、左右の係合片部４１ｂ，４１ｂの間隔は対象とする遊技機の内・外レール間隔よりも小さく設定され、また係合片部が撓んで内・外レールを弾性的に挟み込むように、バネ性を有して構成されている。
【００３６】
除電ケーブル４５は、所定サイズの芯線を有する被覆電線３６の両端に丸形圧着端子やＹ型圧着端子等の固定端子４７がそれぞれ圧着接続されて構成される。そして、一端の固定端子４７が接続金具４１の被係止部４１ａにねじ４２で締結され、他端の固定端子がガラス扉５を開閉自在に支持する開閉ヒンジ６ｂにねじ３３で締結されて遊技機本体のアースに電気的に接続される。
【００３７】
そして、遊技盤２０の所定位置に、内・外レールを跨いでこれらのレールを挟み込むようにはめ込むことで、外レール２２と内レール２３とが架橋部４１ｃで電気的に接続されるとともに、遊技機本体のアースに接続されてアース電位に落とされる。
【００３８】
このため、前述の実施例と同様に、打球発射装置８により発射された打球は、遊技領域ＰＡに導かれる過程で外レール２２に接して蓄積した電荷を放出し、電荷を蓄積した状態のまま遊技領域ＰＡに到達することがない。また、遊技領域ＰＡを落下中に図柄表示装置２７周辺の飾り部材や、各種役物２６ａ〜２６ｅ等のプラスティック部材と接触して帯電した遊技球は、アウト口２９に導かれる過程で内レール２３と接して電荷を放出し、帯電状態のまま裏機構盤の排出経路に到達することがない。
【００３９】
また、上記構成の静電気除去装置４０では、ガラス扉５を横開き開放した状態で、内・外レール２２，２３と接続金具４１との接続・離脱が自在である。このため、遊技盤２０の交換を行うときには交換前後で接続金具４１を離脱・接続させるだけでよく、簡単に遊技盤の交換作業を行うことができる。また、接続金具４１と開閉ヒンジ６ｂとが柔軟な被覆電線４６で繋がれるため、内・外レールへの取付位置が異なる場合であっても何等問題なく対応することができる。
【００４０】
なお、外レール２２と内レール２３との間隔は出口に向かって小さくなるが、左右の係合片部４１ｂ，４１ｂの間隔に適応した位置に取り付ければ良く、また左右の係合片部（の少なくとも一方）にバネ性をもたせて構成することで、レール間隔が異なる種々の遊技盤に対しても柔軟に対応して一定範囲に取り付けることができる。
【００４１】
また、遊技球が内レール２３に衝突する時の振動で接続金具４１が移動することを防止する手段として、接続金具の取り付け位置を内・外レールが略平行となる遊技盤上部位置に取り付けるように接続金具４１および除電ケーブル４５を構成することや、接続金具と当接して移動規制する規制釘を打設すること、あるいは、内・外レールに係合片部を係止する凹部や凸部、スリット部等の係止手段を設けるように構成しても良い。
【００４２】
また、接続金具３１，４１をプラスティック材料などの非金属材料で形成し、その表面に蒸着や金属箔の粘着等の手段によって電気伝導層を設けるものであっても良い。
【００４３】
【発明の効果】
以上説明したように、本発明は、遊技盤の前面に打球発射装置から発射された遊技球を遊技領域に導く金属製の外レールおよび内レールを有する弾球遊技機において、外レールと内レールとを電気的に接続する接続部材と、一端が弾球遊技機のアース手段に接続され、他端が接続部材、外レールおよび内レールの少なくともいずれか一つに接続される導電部材とを備えて弾球遊技機を構成する。このため、打球発射装置から発射された遊技球は、遊技領域に至る過程で外レールに接して蓄積した電荷が放出され電荷を蓄積した状態のまま遊技領域に到達することがない。また、遊技領域内で帯電した遊技球は内レールに導かれてアウト口に至るため、内レールと接することで電荷を放出し帯電状態のまま裏機構盤の排出経路に到達することがない。従って、遊技領域の入賞口や裏機構盤の排出経路で静電気ノイズを発生することがなく、制御上の誤動作や電子回路の破損等の障害を未然に防止する弾球遊技機を提供することができる。
【００４４】
また、上記構成によれば、遊技盤側に接続部材を付加的に設け、遊技機本体側にアース手段と接続する導電部材を付加的に設ければ良いため、遊技盤の形状や遊技盤を収容する収容枠の構造を変更する必要がない。従って、ローコストに静電気除去手段を設けた弾球遊技機を提供することができる。
【００４５】
なお、上記接続部材は外レールおよび内レールと当接して外レールと内レールとを電気的に接続する板金部材からなるように構成することが望ましい。このような構成によれば、レールの相対位置や形状に対応した接続部材を一枚の板金部材で簡単に形成することができ、外レールや内レールを変更することなく簡明かつローコストに接続部材を構成することができる。
【００４６】
また、導電部材を電線で構成することにより、遊技盤の種類が異なり遊技盤交換の前後で接続部材の位置や内・外レールの位置が異なっていても、当該位置に応じて如何様にも順応させることができるため、遊技盤交換を簡単に行うことができ、極めてローコストに導電部材を構成することができる。
【００４７】
また、上記接続部材には遊技盤の盤面に固定される固定部と導電部材が接続される被係止部とを有し、導電部材の他端には被係止部に係脱自在に接続するコネクタ手段を有するように弾球遊技機を構成する。このような構成によれば、遊技盤側に接続部材を固定配設しておき、遊技機本体側に導電部材を設けておくことで、両者の電気的接続を随時に行うことができる。これにより、コネクタ手段を係脱するだけで簡単に遊技盤の交換作業を行うことができる。
【００４８】
また、接続部材は、外レールの立設面に係合する外レール側係合片部と内レールの立設面に係合する内レール側係合片部とを有し、この接続部材が外レールおよび内レールに対して着脱自在であるように構成する。このような構成によれば、接続部材と導電部材とを予め固定接続して一体のアース端子として遊技機本体側に配設することで、遊技盤側の内・外レール間に随時着脱して接続させることができる。このため、遊技盤について内・外レールを含め何等の変更を行う必要がなく、遊技盤交換時に接続部材の着脱を行うだけで簡単に遊技盤交換作業を行うことができる。また、このような形態によれば、既存の遊技盤に対しても簡単に静電気除去装置を付加することができる。
【図面の簡単な説明】
【図１】本発明に係る弾球遊技機における静電気除去装置の第１実施例の構成を示す正面図である。
【図２】上記静電気除去装置を備えるパチンコ機の正面図である。
【図３】上記パチンコ機のガラス扉、上球皿、遊技盤等を取り外して除電ケーブル取付部および打球発射装置近傍部を示す説明図である。
【図４】上記パチンコ機の遊技盤を詳細に示す正面図である。
【図５】上記第１実施例の静電気除去装置を詳細に示す斜視図である。
【図６】上記静電気除去装置における接続金具の三面図である。
【図７】上記静電気除去装置におけるコネクタ部材の三面図である。
【図８】本発明に係る弾球遊技機における静電気除去装置の第２実施例の構成を示す斜視図である。
【符号の説明】
１            外枠
２            前枠
３ａ，３ｂ    開閉ヒンジ（前枠）
４            施錠装置
５            ガラス扉
６ａ，６ｂ    開閉ヒンジ（ガラス扉）
７ａ          上球皿
７ｂ          下球皿
８            発射装置
８ｂ          発射装置のハンマー
１０          収容枠
１１          遊技補助盤
１２          発射レール
１３          ケースカバー
１４          球案内部
１５          ファール口
１６          集合回収口
１８          金属枠
１９          施錠装置部材
２０          遊技盤
２１          化粧板
２２          外レール
２３          内レール
２４          球戻り防止片
２５          風車
２６a〜２６e  役物（入賞口）
２８          返しゴム
２９          アウト口
３０          静電気除去装置
３１          接続金具（３１ａ  被係止部、３１ｂ  固定部、３１ｃ  立設部、３１ｄ  架橋部、３１ｅ  折り返し部）
３２          ねじ
３３          ねじ
３５          除電ケーブル
３６          被覆電線
３７          固定端子
３８          コネクタ部材（３８ａ  コンタクト部、３８ｂ  ボディ部、３８ｃ  圧着片部）
４０          静電気除去装置
４１          接続金具（４１ａ  被係止部、４１ｂ  係合片部、４１ｃ  架橋部）
４２          ねじ
４５          除電ケーブル
４６          被覆電線
４７          固定端子
【図１】
0004756528.tif 000002
【図２】
0004756528.tif 000003
【図３】
0004756528.tif 000004
【図４】
0004756528.tif 000005
【図５】
0004756528.tif 000006
【図６】
0004756528.tif 000007
【図７】
0004756528.tif 000008
【図８】
0004756528.tif 000009